(57)【要約】【課題】  メダル貸機の前面に設けたメダル送出シュートに近接してメダル投入口を設けてメダルの払出と投入回収の機構とを集約してコンパクトにし、しかもメダル投入が貸機前面に突出するメダル送出シュートに邪魔されることなくメダル零れが少なく容易且つ迅速にでき、更にメダル投入口に異物の投入を抑えるようにする。【解決手段】  貸機前面に連絡通路ブロック１を設け、同連絡通路ブロック１の前面にメダル送出シュート２４を取付け、貸機内のメダルの払出路ＭＲをメダル誘導路１１を介してメダル送出シュート２４へ送り、上方にメダル投入口２０ａを有し、下方にメダル投入口から落下するメダルを貸機内の回収路に送り込むメダル吐出路２０ｄと蓋体２３とを有するメダル投入管２０を備え、前記連絡通路ブロック１の上部に設けた管収納空間１３に前記メダル投入管２０を前後移動可能に収納した。【選択図】図４
2018029725.tif 000002
【特許請求の範囲】
【請求項１】
メダルを使用する遊技機に隣接して配置され、紙幣を投入した場合及び貸機内に預けたメダルから貸出ボタン操作によって貸出す場合に、所要枚数のメダルを内部に設けたメダルホッパーから払出機で払い出し、その払出路のメダルを貸機前面に設けたトレイ又は隣接した遊技機のメダル受皿へメダルを送り出すメダル送出シュートに誘導する通路を内部に形成した連絡通路ブロックを貸機前面に固設し、又貸機前面にメダル投入口を設け、同メダル投入口から遊技に使用したメダルを投入するとメダルを貸機内の回収路の途中に設けたメダルカウンターを経て回収するとともに、投入したメダル枚数を前記メダルカウンターにより計数して投入メダル情報として電気的に記憶されて、同投入メダル情報は貸機に備えたコンピュータでメダル計算処理に使用されるようにしたメダル貸機に於いて、
上方に複数枚のメダルを同時に投入できる開口面積のメダル投入口を有し且つ下方にメダル投入口から落下するメダルを貸機内の回収路へ案内するメダル吐出路を有するメダル投入管を前記連絡通路ブロックとは別体として備え、前記連絡通路ブロックに前記メダル投入管が前後に所定巾の移動を許容する管収納空間を確保し、同管収納空間に前記メダル投入管を嵌入し、メダル投入管を前後方向に進退可能としたことを特徴とする、メダル貸機。
【請求項２】
前記メダル投入管のメダル投入口の左又は右の口縁に前方に引出された位置で前記メダル投入口を閉鎖する蓋体を枢着するとともに、同蓋体を閉鎖状態でメダル投入管を貸機前面開口を通して前後に進退可能な構造とした、請求項１記載のメダル貸機。
【請求項３】
前記メダル投入管が前方へ引出された状態で蓋体を左又は右の口縁上方で垂直又は外側に少し傾斜する角度の略垂直の立上った状態で保持できるようにし、蓋体が略垂直に立上ることでメダル投入口へのメダルがメダル投入口から零れることを少なくした、請求項２記載のメダル貸機。
【請求項４】
前記メダル投入管のメダル投入口の下方にメダル受面を設け、同メダル受面は前方に従って高く且つ蓋の非枢着側の口縁部方向に従って低くなるように傾斜し、投入したメダルがメダル受面の傾斜した先の下周縁からメダル吐出路に落下するようにしたものである、請求項１〜３いずれか記載のメダル貸機。
【請求項５】
前記払出機の払出路から送り出されるメダルは前記メダル送出シュートへ誘導されるもので、前記メダル送出シュートが伸縮可能でその長さが調整可能とした、請求項１〜４いずれか記載のメダル貸機。
【請求項６】
前記払出機の払出路から送り出されるメダルは前記メダル送出シュートへ誘導されるもので、しかも同メダル送出シュートは中間で左右方向に屈曲可能又は湾曲可能とした構造である、請求項１〜５いずれか記載のメダル貸機。
【請求項７】
前記払出機の払出路から送り出されるメダルは前記メダル送出シュートへ誘導されるもので、同メダル送出シュートの先端にメダルを貯える小トレイ部を設けたものである、請求項１〜６いずれか記載のメダル貸機。
【請求項８】
前記小トレイ部の長さが調整可能で、貯えるメダル数を増減できる、請求項７記載のメダル貸機。
【請求項９】
前記小トレイ部の構成する部材の一部が前記メダル受皿に向けて開放可能の構造とし、小トレイ部でメダルを貯えるか吐出するか切替えることができる、請求項７，８いずれか記載のメダル貸機。
【請求項１０】
前記連絡通路ブロックの下方前部にトレイ又はメダル送出シュートを取付け、前記連絡通路ブロックの下部内部に払出路からのメダルをトレイ又はメダル送出シュートへ送る誘導路を設け、更に前記連絡通路ブロックの上方にメダル投入口が配置されるように前記メダル投入管を前後に進退可能に取付けた、請求項１〜９いずれか記載のメダル貸機。
【発明の詳細な説明】
【技術分野】
【０００１】
本発明は、スロットル等の遊技場でメダルを使った遊技機に隣接して配置されているメダルを貸出すメダル貸機であって、紙幣投入及び貸出ボタンの操作によってホッパーに貯えているメダルを所要枚数だけ貸機前面に設けたトレイ又はメダル送出シュートに払い出し、又は使用したメダルを貸機の前面に設けたメダル投入口から投入するとそのメダルを回収するとともに投入されたメダル枚数を貸機内のメダルカウンターで電気情報として記憶保存して、貸機内コンピュータでメダル計算の情報として使用されるメダル貸機におけるメダルの取出し用のトレイ又はメダルを遊技機のメダル受皿へ送り出すメダルシュートと、メダル投入口の構造に関する。
【背景技術】
【０００２】
従来のメダル貸機は、特許文献１の発明の如くメダルの払出しのトレイと、使用したメダルを投入してメダル回収できるようにする投入口とは、貸機の別の位置に独立して設けられている。
【０００３】
この特許文献１の発明では、貸機の上方にメダル払出口を設け、同払出口にスロットル機の受皿への腕状のメダルシュートを取り付け、貸機の下方に使用したメダルの回収用の受皿部及びメダルホッパーを設けている。そのため、貸機内ホッパーから払い出された貸出のメダルを下方のメダルホッパーから上方のメダル払出口まで上昇させる揚送機構が必要となり、貸機内の構造が複雑となる。又、貸機の払出メダルを手でスロットル機へ移動させるタイプの貸機では、払出口とメダル投入口を上下２個所設ける必要があり、遊技者のメダル移動操作性が悪くなる。又、このメダルシュートでメダルをスロットル機の受皿へ移動させるタイプは、貸機の貸出メダルをスロットル機の受皿へ移行させるので便利な一面、スロットル機の点検・補修の為に前面扉を開く場合、メダルシュートが逆にその開く時の障害となるという欠点もある。
【０００４】
更に、特許文献２には、遊技媒体貸出機の計数メダル受皿部が貸出機の前面から突出するように設けられ、同計数メダル受皿部が貸出して払い出されたメダルの受皿となるとともに、使用したメダルを投入して投入メダルを受け入れてそのメダル枚数をカウントして投入メダル情報としてメダル処理できる装置が開示されている。
しかし、この装置では計数メダル受皿でメダルの取り出し及びメダル投入を容易にし且つメダル零れがないように貸出機の前面の計数メダル受皿を長く突き出すことは遊技機の扉を点検・補修の為に開く際に扉がこの計数メダル受皿と当るので、長く突き出すことができにくいものであった。又、遊技機の交換作業時に貸出機の前面に突出した計数メダル受皿部が遊技機と接触して装置を破損させることとなる。そのため、計数メダル受皿部の長さが長くできず短くなって、その分計数メダル受皿部からメダルの遊技者の手による取り出しを難しく且つメダル零れしやすくしていた。
【０００５】
更に、メダル投入口の投入口を常時上方に開放したままにしているとメダルでない異物の投入されることがあり、この異物がメダル回収路を閉塞したり、又はメダルカウンターの前方で詰まってメダル投入口を使用不可にする恐れがあった。
又、引用文献３には貸機から払出されるメダルを、複数のパレット状の案内部材を連接して湾曲・直線状にもできるアーム状のメダル払出部を介して遊技機のメダル受皿上方まで送り出させるようにしている。そして、メダル投入口は上記メダル払出部の下方の貸機前面にメダル計数用投入口として設けられている。
しかし、この引用文献３のメダル投入口の取付位置は、遊技者が遊技機のメダル受皿にあるメダルを投入する際に上方にある長いアーム状のメダル払出部がメダル投入の大きな邪魔となって、メダル投入作業の支障となる。
メダル払出部をメダル受皿上方位置から貸機前面へ移動させてその図３の如く起立させても、メダル投入口の直上にメダル払出路の基端部が残っているので、メダル投入が難しい作業となる。迅速容易とはならない。遊技機のメダル受皿内のメダルはまず手の内に収められて、メダル投入口の上方まで移動して、上方位置で手をかえして手の内のメダルをメダル投入口に落下させるものであり、メダル投入口の上方に手を廻す空間が必要であり、そのため引用文献３の発明ではそのような空間（上下距離）が確保されていず、メダル投入が容易でない。又、貸機前面にメダル払出機構と、メダル投入機構との設置に広い取付面積が必要となっている。更に、メダル投入口は常時開放されているため、タバコ吸殻・ティッシュ等異物の投入が多くなるという問題点がある。加えて、メダル投入口の面積を増すことが難しいので、メダル零れが発生し易いと判断される。
【先行技術文献】
【特許文献】
【０００６】
【特許文献１】特開２００６−２９６４７５号公報
【特許文献２】特許第５３３６６４２号公報
【特許文献３】特開２０１３−３９２３４号公報
【発明の概要】
【発明が解決しようとする課題】
【０００７】
本発明が解決しようとする課題は、従来の問題点を解消し、払出すメダルの払出し先のトレイ又はメダル送出シュートと近接してメダル投入口を設けてこれらの設置個所を集約し、しかも異物の投入を抑えられ、更にメダルのメダル投入口への投入時のメダル零れを少なくできるメダル貸機を提供することにある。
【課題を解決するための手段】
【０００８】
かかる課題を解決した本発明の構成は、
１）  メダルを使用する遊技機に隣接して配置され、紙幣を投入した場合及び貸機内に預けたメダルから貸出ボタン操作によって貸出す場合に、所要枚数のメダルを内部に設けたメダルホッパーから払出機で払い出し、その払出路のメダルを貸機前面に設けたトレイ又は隣接した遊技機のメダル受皿へメダルを送り出すメダル送出シュートに誘導する通路を内部に形成した連絡通路ブロックを貸機前面に固設し、又貸機前面にメダル投入口を設け、同メダル投入口から遊技に使用したメダルを投入するとメダルを貸機内の回収路の途中に設けたメダルカウンターを経て回収するとともに、投入したメダル枚数を前記メダルカウンターにより計数して投入メダル情報として電気的に記憶されて、同投入メダル情報は貸機に備えたコンピュータでメダル計算処理に使用されるようにしたメダル貸機に於いて、
上方に複数枚のメダルを同時に投入できる開口面積のメダル投入口を有し且つ下方にメダル投入口から落下するメダルを貸機内の回収路へ案内するメダル吐出路を有するメダル投入管を前記連絡通路ブロックとは別体として備え、前記連絡通路ブロックに前記メダル投入管が前後に所定巾の移動を許容する管収納空間を確保し、同管収納空間に前記メダル投入管を嵌入し、メダル投入管を前後方向に進退可能としたことを特徴とする、メダル貸機
２）  前記メダル投入管のメダル投入口の左又は右の口縁に前方に引出された位置で前記メダル投入口を閉鎖する蓋体を枢着するとともに、同蓋体を閉鎖状態でメダル投入管を貸機前面開口を通して前後に進退可能な構造とした、前記１）記載のメダル貸機
３）  前記メダル投入管が前方へ引出された状態で蓋体を左又は右の口縁上方で垂直又は外側に少し傾斜する角度の略垂直の立上った状態で保持できるようにし、蓋体が略垂直に立上ることでメダル投入口へのメダルがメダル投入口から零れることを少なくした、前記２）記載のメダル貸機
４）  前記メダル投入管のメダル投入口の下方にメダル受面を設け、同メダル受面は前方に従って高く且つ蓋の非枢着側の口縁部方向に従って低くなるように傾斜し、投入したメダルがメダル受面の傾斜した先の下周縁からメダル吐出路に落下するようにしたものである、前記１）〜３）いずれか記載のメダル貸機
５）  前記払出機の払出路から送り出されるメダルは前記メダル送出シュートへ誘導されるもので、前記メダル送出シュートが伸縮可能でその長さが調整可能とした、前記１）〜４）いずれか記載のメダル貸機
６）  前記払出機の払出路から送り出されるメダルは前記メダル送出シュートへ誘導されるもので、しかも同メダル送出シュートは中間で左右方向に屈曲可能又は湾曲可能とした構造である、前記１）〜５）いずれか記載のメダル貸機
７）  前記払出機の払出路から送り出されるメダルは前記メダル送出シュートへ誘導されるもので、同メダル送出シュートの先端にメダルを貯える小トレイ部を設けたものである、前記１）〜６）いずれか記載のメダル貸機
８）  前記小トレイ部の長さが調整可能で、貯えるメダル数を増減できる、前記７）記載のメダル貸機
９）  前記小トレイ部の構成する部材の一部が前記メダル受皿に向けて開放可能の構造とし、小トレイ部でメダルを貯えるか吐出するか切替えることができる、前記７），８）いずれか記載のメダル貸機
１０）  前記連絡通路ブロックの下方前部にトレイ又はメダル送出シュートを取付け、前記連絡通路ブロックの下部内部に払出路からのメダルをトレイ又はメダル送出シュートへ送る誘導路を設け、更に前記連絡通路ブロックの上方にメダル投入口が配置されるように前記メダル投入管を前後に進退可能に取付けた、前記１）〜９）いずれか記載のメダル貸機
にある。
【発明の効果】
【０００９】
本発明では、払出しのメダルのトレイ及びメダル送出シュートの払出機能及びメダル投入口を有するメダル投入管とを共通の連絡通路ブロックに集約したことで、メダルの払出しと投入回収の構造をコンパクトにできた。しかも、メダル投入口はメダル送出シュートの上方にあるので、メダル投入作業はメダル送出シュートに邪魔されることなく迅速且つ容易である。
【００１０】
本発明のメダル投入管は前後に進退でき、投入するときは前方の位置となってメダル投入口の開口面積が大きくなることでメダル投入時のメダル零れが少なくできる。
【００１１】
本発明のメダル投入管のメダル投入口に蓋体を設けるものでは、蓋体でメダル投入口を閉鎖できるので異物のメダル投入を少なくできる。特に、蓋体を閉じた状態でメダル投入管を後方に押し込むと、貸機前面開口上縁は蓋が開くのを拘束して蓋は閉じた状態となる。これによって、異物投入をかなり防げる。
【００１２】
本発明のメダル投入管にメダル投入口の下方に前後左右に傾斜したメダル受面を有するものでは、メダルはその傾斜で滑ってメダル受面の下方側となる底面周縁とその外側の垂直壁部材との隙間からメダルを円滑に落下させる。一方、ティッシュ・タバコ吸殻・チューインガム等の異物はメダル受面で止まって、それより下方へ落下しにくいので異物はこの傾斜した受面で残留し、蓋を開くことでメダル投入口から異物を簡単に排除できる。
【００１３】
本発明でメダル投入口の蓋体が前方に引出した状態でメダル投入口の左又は右の口縁上方に略垂直に立上がるものでは、手に握ったメダルをメダル投入口へ投入するときメダル投入口の口縁の外へ零れるメダルを略垂直状態の蓋体が防いで、メダル投入口の外に零れるメダルを少なくしている。
【００１４】
本発明でメダル送出シュートが伸縮可能で長さが調整可能な構造のものでは、メダル貸機の隣に設置の遊技機のメダル受皿との距離が現場で違っても、シュート長さの調整でメダル送出シュート先がメダル受皿に近接した位置にでき易くなる。
【００１５】
本発明のメダル送出シュートの途中が屈曲又は湾曲可能とした構造のものでは、メダル送出シュートがメダル貸機前面から延びて隣接の遊技機のメダル受皿にシュートを向けることが容易となり、メダルの貸機からのメダル送りが円滑にできる。
【００１６】
本発明のメダル送出シュートの先端に小トレイ部を設けた構造のものでは、メダル貸機の払出機から払い出されたメダルはメダル投入シュートの先端の小トレイ部まで送られる。メダル投入シュートの先端の小トレイ部は隣の遊技機のメダル受皿の近くに位置させることができるので、小トレイ部まで送られたメダルを近くのメダル受皿又は遊技機のメダル投入口へ移動させることの操作が容易且つ迅速にできるようになる。
【００１７】
本発明のメダル送出シュートの先端の小トレイ部の長さが調整可能として、小トレイ部で貯えられるメダル枚数の増減できるようにすると、遊技の具合で多く払い出す場合は長くし、払出しが少ない場合は短くできると、メダル処理が容易となる。
【００１８】
本発明でメダル送出シュートの先端に設けた小トレイ部の構成部材メダル受皿に向けて開放可能の構造となるものでは、小トレイ部に貯えたメダルを手で握ってメダル受皿へ移載するのが小トレイ部の構成部材の一部を開放して小トレイ部に貯えたメダルを押し込んでメダル受皿に移載できるので、メダル移載が容易となる。
【図面の簡単な説明】
【００１９】
【図１】図１は実施例メダル貸機の遊技店での設置を示す説明図である。
【図２】図２は実施例の基本構造を示す説明図である。
【図３】図３は実施例の要部である連絡通路ブロックとメダル投入管とメダル送出シュートとその先端の小トレイ部とを示す説明図である。
【図４】図４は実施例のメダル送出シュートの伸縮・屈曲・小トレイ部の長さ調整と開放の構造及びメダル投入口の蓋の垂直状態の全体を示す説明図である。
【図５】図５は実施例の要部の連絡通路ブロックにおけるメダル投入管とメダル送出シュートの基端部を示す斜視図である。
【図６】図６は実施例の連絡通路ブロックとメダル投入管の構造を示す分解説明図である。
【図７】図７は実施例の連絡通路ブロックの一部切欠構造説明図である。
【図８】図８は実施例の連絡通路ブロックの平面図である。
【図９】図９は図８のＡ−Ａ断面図である。
【図１０】図１０は図８のＢ−Ｂ断面図である。
【図１１】図１１は実施例のメダル投入管の一部切欠斜視図である。
【図１２】図１２は実施例のメダル投入管の平面図である。
【図１３】図１３は図１２のＡ−Ａ断面図である。
【図１４】図１４はメダル投入管のメダル受面を示す説明図である。
【図１５】図１５は実施例の払出路のメダルのメダル送出シュートまでのメダルの移動を示す説明図である。
【図１６】図１６は実施例のメダル投入口へメダルを投入している状態を示す斜視図である。
【図１７】図１７は実施例のメダル投入管でのメダルの移動を示す説明図である。
【図１８】図１８は実施例のメダル投入管を後方に退却させた状態を示す説明図である。
【図１９】図１９は実施例のメダル投入シュートの先端の小トレイ部を開放してメダルをメダル受皿へ移動している状態を示す説明図である。
【図２０】図２０は実施例の小トレイ部の長さ調整機構と、開放機構を示す説明図である。
【図２１】図２１は実施例のメダル送出シュートの分解斜視図である。
【図２２】図２２は実施例のメダル送出シュートを伸長した状態の斜視図である。
【発明を実施するための形態】
【００２０】
本発明の連絡通路ブロック１はプラスチックで一体成型し、又メダル投入管２０及び蓋体２３とは別体のプラスチック製で一体成型するのがよい。又、メダル送出シュート２４もシュート筒２４１，小トレイ固定部２５１を有する回動シュート２４４，開放ゲート２５２ｃを除いた小トレイスライド部２５２は別体でプラスチックの一体成型するのがよい。
【００２１】
又、本発明のメダル投入管にはそのメダル投入口に蓋体を取付ける場合と、メダル投入口に蓋体を取付けず常時開放させる場合もあるが、前者の蓋体がある方が異物の投入を少なくできるので好ましい。
【００２２】
本発明のメダル送出シュート２４は連絡通路ブロックの前面に固設する場合と、前面に脱着自在とする場合がある。又、実施例の機構構造に限定するものでなく、もっとシンプルな他の機構のものでもよい。更に、連絡通路ブロック１の外側に取付けられてメダル誘導路１１に連通するものは、メダル送出シュート以外に受皿状の通常の固定したトレイでもよい。
【００２３】
更に、本発明のメダル送出シュート２４の先端は単なるメダル放出口とすることもできる。又、実施例の如く小トレイ部２５を設ける構造とすることもできる。
【実施例】
【００２４】
本発明の実施例のメダル貸機Ｇを、図１〜２２の図面に基づいて説明する。
本実施例は、メダル投入管２０のメダル投入口２０ａの口縁にメダル投入口２０ａを閉鎖する蓋体２３が垂直に起立可能に枢着し、しかもメダル投入管２０のメダル投入口２０ａ下方のメダル受面２１は前方が高く、後方が低くなるようにし、又貸機払出機ＨＤから払出されるメダルは連絡通路ブロック１内のメダル誘導路１１を経て、伸縮自在で中間で屈曲自在で更に先端にスライド自在で一端が開放自在なメダル開放ゲート２５２ｃを枢着した小トレイ部２５を設けた例である。
【００２５】
主に図３，５，６，７〜１３に本発明の要部であるメダル投入口があるメダル投入管とメダル送出シュートと連絡通路ブロックの構造を示している。
主に図４，１５，１９〜２２は実施例のメダル送出シュートの構造を示している。
そして、図１，２はメダル貸機の内部の基本構造を示す図面である。
【００２６】
（符号の説明）
図１〜２２において、Ｇは実施例のメダル貸機、ＭＨは同メダル貸機Ｇ内に設けたメダルホッパー、ＨＤは同メダルホッパーＭＨ内のメダルを所定枚数切り出して払出すメダルホッパーＭＨの下部に取付けられた払出機、ＭＲは同払出機ＨＤで払出されたメダルの払出路、ＫＣはメダル貸機Ｇの細長の貸機ケーシング、ＭＣＯＮはメダル貸機Ｇにメダルを供給する上方に配置されたメダル供給コンベア、ＭＳはメダル供給コンベアのメダルをメダル貸機Ｇへ送り出すメダル補給路、ＭＣはメダル貸機Ｇ内に設けたメダルカウンター、ＫＡＩＲはメダル投入口２０ａから投入したメダルを前記メダルカウンターＭＣへ送り、更にメダルカウンターＭＣでカウント後メダルをメダル回収コンベアＭＫＡＩへ送る回収路、ＭＫＡＩは下方に配置されたメダル回収コンベア、ＳＴはメダル貸機Ｇの前面に設けた紙幣投入部、ＫＤＩＳはメダル枚数等を表示する表示器、ＫＣＯＮは貸機内の機器の制御及びメダル処理ソフトの作動、紙幣入力、貸出ボタンＫＢの操作信号処理・メダル情報カードの読み書き処理等を処理するコンピュータ、ＫＢは貸機前面に設けた貸出ボタン、ＫＣＦは貸機前面壁、ｍはメダルを示す。又、ＥＮＤＢは貸機前面に設けた清算ボタン、ＲＷＣＡＲＤはメダル情報カードの読書装置を示す。Ｙは遊技機、ＹＳはそのメダル受皿である。
【００２７】
図中、１はプラスチック製で一体成型された連絡通路ブロック、１１はその内部に設けた傾斜したメダル誘導路、１２は同メダル誘導路に接続されたメダルを排出するための前記連絡通路ブロック１の前面に前方下方に傾斜するように設けられたメダル払出ノズル、１２１は同メダル払出ノズルの側面にノズル方向に複数個設けた長さ調整用の係止穴、１３は連絡通路ブロック１内に設けた長靴状のメダル投入管２０を収納する管収納空間、１４は連絡通路ブロックを窓部１５と押え枠板１７で固定するための固定用張出片、１５は連絡通路ブロック１を貸機前面壁ＫＣＦに取付けるための窓部、１７は連絡通路ブロック１の張出片１４を貸機前面壁ＫＣＦの窓部１５の周縁部外面に押え付けて連絡通路ブロック１を固着する押え枠板、１７１は同押え枠板の枠内に連絡通路ブロック１の大部分を前方へ露出するための開口、１７２は押え枠板１７のメダル投入口２０ａの右側後方口縁近くに前方に張り出して蓋体２３を略垂直に保持する蓋体垂直ストッパ片である。１８は貸機前面壁ＫＣＦと押え枠板１７を連結するサラビス、１９はメダル投入管２０の押し込めをその垂直管部２０ｂと当って停止させる当板である。
【００２８】
図中、２０は前記管収納空間１３に収納された長靴状メダル投入管、２０ａはその上方のメダル投入口、２０ｂはメダル受面２１の傾斜した下周縁から落下するメダルを案内するメダル投入管２０の垂直管部、２０ｃは同垂直管部の下端からメダルを後方下向きに前記回収路ＫＡＩＲへ送り出す傾斜管部、２０ｄは前記垂直管部２０ｂの通路と傾斜管部２０ｃの通路とから形成されるメダル吐出路である。２１はメダル投入管２０のメダル投入口２０ａの下方途中に設けた前方が高く後方が低く且つメダル投入口の右側口縁壁に向って左右に傾斜したメダル受面、２２はメダル投入管２０の下方にあるメダル吐出路２０ｄのメダル排出口、２３はメダル投入口２０ａに枢着した蓋体、２３１は同蓋体を枢着する枢着ピン、２３２は蓋体２３側に設けた枢着ピン２３１のピン受、２３３はメダル投入口２０ａの口縁に設けたピン軸支部、２３４は蓋体２３の側端を少し張り出した把手部である。
【００２９】
２４は連絡通路ブロック１の前部で前方に突出したメダル払出ノズル１２に取付けたメダル送出シュートである。２４１はメダル払出ノズル１２に嵌装する角筒状のシュート筒、２４２は同シュート筒の先端に形成するシュートを屈曲させる屈曲部２４３の為の円形状の上下ある回転座面、２４３はシュート筒２４１に回動シュート２４４を回転可能に接続する屈曲部、２４４は回動シュート、２４４ａ，２４４ｂは回動シュート２４４の基端に設けた回転盤で、シュート筒２４１の回転座面２４２に回動シュート２４４の回転盤２４４ａ，２４４ｂを回転自在に回転連結ねじ２４４ｃで連結されている。２４４ｃは回転連結ねじである。又、２４５はメダル払出ノズル１２の側面に設けた係止穴１２１と係合してその長さを決める加圧片である。
【００３０】
２５は回動シュート２４４の先端に設けた小トレイ部、２５１は同小トレイ部の小トレイ固定部、２５１ａは同小トレイ固定部に設けたスライドアーム挿入空間、２５１ｂは挿入されるスライドアームを加圧して脱落しないようにする加圧片、２５２は小トレイスライド部、２５２ａは同小トレイスライド部２５２が備えたスライドアームで、前記スライドアーム挿入空間２５１ａに挿入される。２５２ｂは小トレイスライド部２５２のスライド底面、２５２ｃは小トレイスライド部２５２の先端に枢支したメダル開放ゲート、２５２ｄは同メダル開放ゲートのゲート枢支軸、２５２ｅは小トレイスライド部２５２のメダルの吐出口で、通常は前記開放ゲート２５２ｃで閉鎖され、メダルの小トレイを形成する。
【００３１】
（払出メダルの流れ）
払出メダルの流れは主に図１〜１０，１５，１６，１９〜２２に示している。払出機ＨＤから払出されたメダルｍは、その払出路ＭＲを経て連絡通路ブロック１のメダル誘導路１１を通過し、その先端に連接したメダル払出ノズル１２を経てメダル送出シュート２４へ送られる。
メダル送出シュート２４内のメダルｍはシュート筒２４１、屈曲部２４３、回動シュート２４４を経て小トレイ部２５へ送られ、ここに一時貯えられる。
【００３２】
メダル送出シュート２４は、その屈曲部２４３の回転座面２４２と回転盤２４４ａ，２４４ｂとの位置で回動シュート２４４は左右に回動自在となっている。又、シュート筒２４１は加圧片２４５が係合するメダル払出ノズル１２の側面の複数ある係止穴１２１を選択することでメダル払出ノズルの長さを調整できる。
【００３３】
更に、メダル払出ノズル１２の先端の小トレイ部２５も小トレイスライド部２５２をスライドして所定の長さに小トレイの寸法を調整でき、ここに貯えるメダルの枚数を増減できる。このスライド量・所定の長さで加圧片２５１ｂがスライドアーム２５２ａを加圧してスライド長さを固定する。
【００３４】
更に、小トレイ部２５の先端にはメダル開放ゲート２５２ｃが開閉自在に枢支されている。通常は開放ゲート２５２ｃを降ろして小トレイ部２５の先端トレイ壁を形成し、小トレイ部２５でメダルｍを一時貯えられるようにする。小トレイ部２５のメダルを遊技機Ｙのメダル受皿ＹＳへ移載するときは開放ゲート２５２ｃを上方に持ち上げれば、小トレイ部２５のメダルはその開放ゲート２５２ｃがない吐出口２５２ｅからメダル受皿ＹＳへ移動が容易にできる。
又は、貸機の払出のメダルｍを小トレイ部２５で一時貯えることなく、直ちにメダル受皿ＹＳへ移動させるときは、メダル送出シュート２４のシュート筒２４１の進退による長さ調整・屈曲部２４３の回転角度及び小トレイ部２５のスライドの長さを調整して小トレイ部２５の開放ゲート２５２ｃを持ち上げて吐出口２５２ｅを開放してメダル受皿ＹＳへ向ければ、払出したメダルｍを払出路ＭＲからそのまま遊技機Ｙのメダル受皿ＹＳ内へ移動させることができる。
【００３５】
このように、メダル送出シュート２４はシュート筒２４１の進退による長さ調整・屈曲部２４３の回転角度調整及び小トレイ部２５のスライド調整することで、その先端の小トレイ部２５の位置を広い範囲で所定の位置に配置できる。これによって、メダル貸機Ｇと遊技機Ｙのメダル受皿ＹＳとの種々の配置寸法においても、小トレイ部２５を適切な位置にでき、しかもメダルの遊技機Ｙのメダル受皿ＹＳへの移載操作を大巾に容易且つ軽減できる。
【００３６】
（メダル投入について）
メダル投入のメダルの流れ及び蓋の開閉とメダル投入管の動きは、主に図１，２，３〜８，１１〜１４，１６〜１８に示している。
ゲームを清算する場合、又はメダル受皿ＹＳのメダルが多くなってメダルをメダル貸機Ｇへ戻してメダル受皿ＹＳを空にしてメダル受け入れを可能にし、戻したメダルはメダル情報として電気的に処理するようにする場合に、遊技者が使用したメダル受皿ＹＳ内のメダルｍをメダル貸機Ｇのメダル投入口２０ａへ投入する。通常、メダル投入口２０ａは図３，５，１５，１８，１９に示すように蓋体２３で閉鎖されている。しかも、図１４に示すようにメダル投入管２０及びその蓋体２３とも貸機ケーシングＫＣ内にそれらの後部が挿入されるようになっている。蓋体２３の後部は貸機前面壁ＫＣＦの窓部１５から貸機内に挿入していて、蓋体２３の後方上面は窓部１５の上の内周縁に当って蓋体２３が上方向へ回動することを止めている。これによって、蓋体２３のメダル投入口２０ａの閉鎖状態を保持する。このように、蓋体２３はこの位置でメダル投入口２０ａを閉鎖状態に保持して異物の投入ができない状態となっている。
【００３７】
メダル投入口２０ａにメダルを投入する場合は、遊技者は図１６，１７に示すようにメダル投入管２０を前方に引出すと蓋体２３は窓部１５の上内周縁からの拘束がなくなり、蓋体２３は枢着ピン２３１まわりに回動して開くことができる。蓋体２３を回動する際、蓋体２３の中央右側にある把手２３４に指を掛けて指を持ち上げれば、蓋体２３は容易に回動できる。そして、蓋体２３が回動すると略垂直の位置でメダル投入口２０ａの後方口縁上方位置に突設させた押え枠板１７の蓋体垂直ストッパ片１７２に当って、垂直又はやや左側に少し傾く略垂直で保持される。
蓋体２３を開いて垂直の状態にして、手の平内に収めたメダルｍをメダル投入口２０ａに落下させる（図１６，１７参照）。メダル投入口２０ａを超えて左方向に落下するメダルは垂直な蓋体２３の内面に当って右方向に返されて、メダル投入口２０ａに落下すること及びメダル投入口２０ａも前方に長くなることでメダルの零れが少なく、メダルｍをメダル投入口２０ａへ確実に投入できる。
【００３８】
メダル投入口２０ａ内に落下したメダルｍは、図１７，１８，６，１１に示すように後方と右側に低くなるように傾いたメダル受面２１に落下し、その傾斜に従って後方・右側に滑りながらメダル投入管２０の後方のメダル吐出路２０ｄの垂直管部２０ｂを落下し、更にその下方の貸機内方向に傾斜管部２０ｃの先端のメダル排出口２２から貸機内のメダルカウンターＭＣへメダルを送る回収路ＫＡＩＲへ送り出す。
【００３９】
回収路ＫＡＩＲに送り出されたメダルはメダルカウンターＭＣでカウントされ、メダル枚数は電気的信号としてコンピュータＫＣＯＮで記憶され、メダル計算の処理及びメダルカードの書き込みに利用される。又、表示器ＫＤＩＳで必要情報が表示される。メダルカウンターＭＣを経たメダルは貸機下方に配装されたメダル回収コンベアＭＫＡＩへ送られる。
【００４０】
本発明は、メダル投入口２０ａを前後させるのに、別体のメダル投入管２０を別体として連絡通路ブロック１の管収納空間１３内で前後移動させる構造であるので、連絡通路ブロック１と前後移動するメダル投入口２０ａとその蓋体２３の構造を一体的にする場合に比べて構造が簡素化され、又製造・組立を容易にできる。又、連絡通路ブロック１にメダル投入口とその排出路及び払出メダルのメダル誘導路とその前面にトレイ又はメダル送出シュートを設け、これら機能をコンパクトに集約している。
【産業上の利用可能性】
【００４１】
本発明は、スロットル・パチンコ等の遊技機用貸機ばかりでなく、メダルでもって遊技する他の遊技装置の横置のメダル貸機として使用できる。
【符号の説明】
【００４２】
Ｇ    メダル貸機
ＭＨ    メダルホッパー
ＨＤ    払出機
ＫＣ    貸機ケーシング
ＭＲ    払出路
Ｙ    遊技機
ＹＳ    メダル受皿
ＭＣＯＮ    メダル供給コンベア
ＭＳ    メダル補給路
ＭＫＡＩ    メダル回収コンベア
ＭＣ    メダルカウンター
ＫＡＩＲ    回収路
ＳＴ    紙幣投入部
ＫＤＩＳ    表示器
ＫＣＯＮ    コンピュータ
ＫＣＦ    貸機前面壁
ＥＮＤＢ    清算ボタン
ＫＢ    貸出ボタン
ＲＷＣＡＲＤ    ＩＣカード読書装置
ｍ    メダル
１    連絡通路ブロック
１１    メダル誘導路
１２    メダル払出ノズル
１２１    長さ調整用の係止穴
１３    管収納空間
１４    固定用張出片
１５    窓部
１７    押え枠板
１７１    開口
１７２    蓋体垂直ストッパ片
１８    サラビス
１９    当板
２０    メダル投入管
２０ａ    メダル投入口
２０ｂ    垂直管部
２０ｃ    傾斜管部
２０ｄ    メダル吐出路
２１    メダル受面
２２    メダル排出口
２３    蓋体
２３１    枢着ピン
２３２    ピン受
２３３    ピン軸支部
２３４    把手
２４    メダル送出シュート
２４１    シュート筒
２４２    シュート筒の回転座面
２４３    屈曲部
２４４    回動シュート
２４４ａ，２４４ｂ    回転盤
２４４ｃ    回転連結ねじ
２４５    加圧片
２５    小トレイ部
２５１    小トレイ固定部
２５１ａ    スライドアーム挿入空間
２５１ｂ    加圧片
２５２    小トレイスライド部
２５２ａ    スライドアーム
２５２ｂ    スライド底面
２５２ｃ    メダル開放ゲート
２５２ｄ    ゲート枢支軸
２５２ｅ    吐出口
【図１】
2018029725.tif 000003
【図２】
2018029725.tif 000004
【図３】
2018029725.tif 000005
【図４】
2018029725.tif 000006
【図５】
2018029725.tif 000007
【図６】
2018029725.tif 000008
【図７】
2018029725.tif 000009
【図８】
2018029725.tif 000010
【図９】
2018029725.tif 000011
【図１０】
2018029725.tif 000012
【図１１】
2018029725.tif 000013
【図１２】
2018029725.tif 000014
【図１３】
2018029725.tif 000015
【図１４】
2018029725.tif 000016
【図１５】
2018029725.tif 000017
【図１６】
2018029725.tif 000018
【図１７】
2018029725.tif 000019
【図１８】
2018029725.tif 000020
【図１９】
2018029725.tif 000021
【図２０】
2018029725.tif 000022
【図２１】
2018029725.tif 000023
【図２２】
2018029725.tif 000024